【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
プリンタに接続されたコンピュータにおいて印刷プレビュを行うための印刷制御プログラムであって、
アプリケーションソフトウェアにより作成された印刷データをスプールするスプール手段と、
前記スプール手段にスプールされた印刷データの描画命令を、プレビュ設定または印刷設定を示す出力情報と共にグラフィックエンジンに対して出すプリントプロセッサ手段と、
前記描画命令を受けたグラフィックエンジンからのカラープロファイルの問い合わせに応じて、前記出力情報がプレビュ設定であればプレビュ用のカラープロファイルを、印刷設定であれば印刷用のカラープロファイルを応答するカラープロファイル特定手段と、
前記出力情報がプレビュ設定であれば、前記グラフィックエンジンによって描画された画像データを画面に表示するプレビュ手段と、
前記出力情報が印刷設定であれば、前記グラフィックエンジンによって描画された画像データをプリンタに出力するプリンタドライバ手段と
してコンピュータを機能させるためのプログラム。
【請求項２】
前記出力情報は、出力先のデバイスの解像度を示す情報であり、プレビュ設定は表示の解像度が、印刷設定はプリンタの解像度が指定されることを特徴とする請求項１記載のプログラム。
【請求項３】
前記カラープロファイル特定手段は、前記出力情報がプレビュ設定である場合には、前記グラフィックエンジンが規定のカラープロファイルとして使用するカラープロファイルを前記グラフィックエンジンからの問い合わせに対して応答することを特徴とする請求項１記載のプログラム。
【請求項４】
前記カラープロファイル特定手段は、複数のカラープロファイルのうち、出力先のデバイスの属性と一致する属性が関連づけられたカラープロファイルを、前記グラフィックエンジンからの問い合わせに対して応答することを特徴とする請求項１記載のプログラム。
【請求項５】
プリンタに接続され、印刷プレビュを行うことができる印刷制御装置であって、
アプリケーションソフトウェアにより作成された印刷データをスプールするスプール手段と、
前記スプール手段にスプールされた印刷データに対して、カラープロファイルを用いたカラーマッチング処理および描画処理を施す描画手段と、
前記スプール手段によりスプールされた印刷データの描画命令を、プレビュ設定または印刷設定を示す出力情報と共に前記描画手段に対して出す印刷制御手段と、
前記描画命令を受けた描画手段からのカラープロファイルの問い合わせに応じて、前記出力情報がプレビュ設定であればプレビュ用のカラープロファイルを、印刷設定であれば印刷用のカラープロファイルを応答するカラープロファイル特定手段と、
前記出力情報がプレビュ設定であれば、前記描画手段によって描画された画像データを画面に表示するプレビュ手段と、
前記出力情報が印刷設定であれば、前記描画手段によって描画された画像データをプリンタに出力するプリンタドライバ手段と
を備えることを特徴とする印刷制御装置。
【請求項６】
前記出力情報は、出力先のデバイスの解像度を示す情報であり、プレビュ設定は表示の解像度が、印刷設定はプリンタの解像度が指定されることを特徴とする請求項５記載の印刷制御装置。
【請求項７】
前記カラープロファイル特定手段は、前記出力情報がプレビュ設定である場合には、前記描画手段が規定のカラープロファイルとして使用するカラープロファイルを前記描画手段からの問い合わせに対して応答することを特徴とする請求項５記載の印刷制御装置。
【請求項８】
前記カラープロファイル特定手段は、複数のカラープロファイルのうち、出力先のデバイスの属性と一致する属性が関連づけられたカラープロファイルを、前記描画手段からの問い合わせに対して応答することを特徴とする請求項５記載の印刷制御装置。
【請求項９】
プリンタに接続され、印刷プレビュを行うことができる印刷制御方法であって、
スプール手段により、アプリケーションソフトウェアにより作成された印刷データをスプールするスプール工程と、
描画手段により、前記スプール工程でスプールされた印刷データに対して、カラープロファイルを用いたカラーマッチング処理および描画処理を施す描画工程と、
印刷制御手段で、前記スプール工程によりスプールされた印刷データの描画命令を、プレビュ設定または印刷設定を示す出力情報と共に前記描画手段に対して出す印刷制御工程と、
カラープロファイル特定手段により、前記描画命令を受けた描画手段からのカラープロファイルの問い合わせに応じて、前記出力情報がプレビュ設定であればプレビュ用のカラープロファイルを、印刷設定であれば印刷用のカラープロファイルを応答するカラープロファイル特定工程と、
プリンタドライバ手段により、前記出力情報がプレビュ設定であれば、前記描画手段によって描画された画像データを画面に表示し、前記出力情報が印刷設定であれば、前記描画手段によって描画された画像データをプリンタに出力する出力工程と
を備えることを特徴とする印刷制御方法。
【請求項１０】
カラープロファイルの問い合わせに対して、プレビュ用のプロファイルは応答せず、印刷用のプロファイルは応答する応答手段と、
前記応答手段によりプレビュ用のプロファイルが応答されない場合、検索されたプレビュの解像度のカラープロファイルを用いてカラーマッチングされたデータに基づきプレビュさせるプレビュ手段と、
前記応答手段により印刷用のプロファイルが応答された場合、印刷用のカラープロファイルを用いてカラーマッチングされたデータに基づくプリンタコマンドをプリンタに出力する出力手段と
を有することを特徴とする印刷制御装置。
【請求項１１】
カラープロファイルの問い合わせに対して、プレビュ用のプロファイルは応答せず、印刷用のプロファイルは応答する応答手段と、
前記応答手段によりプレビュ用のプロファイルが応答されない場合、システムのデフォルトのカラープロファイルを用いてカラーマッチングされたデータに基づきプレビュさせるプレビュ手段と、
前記応答手段により印刷用のプロファイルが応答された場合、印刷用のカラープロファイルを用いてカラーマッチングされたデータに基づくプリンタコマンドをプリンタに出力する出力手段と
を有することを特徴とする印刷制御装置。
【請求項１２】
カラープロファイルの問い合わせに対して、プレビュ用のプロファイルは応答せず、印刷用のプロファイルは応答する応答ステップと、
前記応答ステップによりプレビュ用のプロファイルが応答されない場合、検索されたプレビュの解像度のカラープロファイルを用いてカラーマッチングされたデータに基づきプレビュさせるプレビュステップと、
前記応答ステップにより印刷用のプロファイルが応答された場合、印刷用のカラープロファイルを用いてカラーマッチングされたデータに基づくプリンタコマンドをプリンタに出力する出力ステップと
を有することを特徴とする印刷制御方法。
【請求項１３】
カラープロファイルの問い合わせに対して、プレビュ用のプロファイルは応答せず、印刷用のプロファイルは応答する応答ステップと、
前記応答ステップによりプレビュ用のプロファイルが応答されない場合、システムのデフォルトのカラープロファイルを用いてカラーマッチングされたデータに基づきプレビュさせるプレビュステップと、
前記応答ステップにより印刷用のプロファイルが応答された場合、印刷用のカラープロファイルを用いてカラーマッチングされたデータに基づくプリンタコマンドをプリンタに出力する出力ステップと
を有することを特徴とする印刷制御方法。
【請求項１４】
カラープロファイルの問い合わせに対して、プレビュ用のプロファイルは応答せず、印刷用のプロファイルは応答する応答ステップと、
前記応答ステップによりプレビュ用のプロファイルが応答されない場合、検索されたプレビュの解像度のカラープロファイルを用いてカラーマッチングされたデータに基づきプレビュさせるプレビュステップと、
前記応答ステップにより印刷用のプロファイルが応答された場合、印刷用のカラープロファイルを用いてカラーマッチングされたデータに基づくプリンタコマンドをプリンタに出力する出力ステップと
をコンピュータに実行させるためのプログラム。
【請求項１５】
カラープロファイルの問い合わせに対して、プレビュ用のプロファイルは応答せず、印刷用のプロファイルは応答する応答ステップと、
前記応答ステップによりプレビュ用のプロファイルが応答されない場合、システムのデフォルトのカラープロファイルを用いてカラーマッチングされたデータに基づきプレビュさせるプレビュステップと、
前記応答ステップにより印刷用のプロファイルが応答された場合、印刷用のカラープロファイルを用いてカラーマッチングされたデータに基づくプリンタコマンドをプリンタに出力する出力ステップと
をコンピュータに実行させるためのプログラム。
【請求項１６】
グラフィックエンジンからのプレビュ用のカラープロファイルの問い合わせに対して、プレビュ用のプロファイルを応答し、グラフィックエンジンから印刷用のカラープロファイルの問い合わせに対して、印刷用のプロファイルの応答を行う応答ステップと、
前記応答ステップによりプレビュ用のプロファイルが応答された場合、プレビュ用のカラープロファイルを用いてグラフィックエンジンによりカラーマッチングされたデータに基づきプレビュさせるプレビュステップと、
前記応答ステップにより印刷用のプロファイルが応答された場合、印刷用のカラープロファイルを用いてグラフィックエンジンによりカラーマッチングされたデータに基づくプリンタコマンドをプリンタに出力する出力ステップと
をコンピュータに実行させるためのプログラム。
【請求項１７】
プリンタに接続されたコンピュータにおいて印刷プレビュを行うためのプログラムであって、
アプリケーションソフトウェアにより作成され、スプール手段にスプールされた印刷データの描画命令を、プレビュ設定または印刷設定を示す出力情報と共にグラフィックエンジンに対して出す工程と、
前記描画命令を受けたグラフィックエンジンからのカラープロファイルの問い合わせに応じて、前記出力情報がプレビュ設定であればプレビュ用のカラープロファイルを、印刷設定であれば印刷用のカラープロファイルを応答する工程と、
前記出力情報がプレビュ設定であれば、前記グラフィックエンジンによって描画された画像データを画面に表示させる工程と、
前記出力情報が印刷設定であれば、前記グラフィックエンジンによって描画された画像データをプリンタに出力する工程と
をコンピュータに実行させるためのプログラム。
【手続補正２】
【補正対象書類名】明細書
【補正対象項目名】００１５
【補正方法】変更
【補正の内容】
【００１５】
上記目的を達成するために本発明は以下の構成を備える。すなわち、プリンタに接続されたコンピュータにおいて印刷プレビュを行うための印刷制御プログラムであって、
アプリケーションソフトウェアにより作成された印刷データをスプールするスプール手段と、前記スプール手段にスプールされた印刷データの描画命令を、プレビュ設定または印刷設定を示す出力情報と共にグラフィックエンジンに対して出すプリントプロセッサ手段と、前記描画命令を受けたグラフィックエンジンからのカラープロファイルの問い合わせに応じて、前記出力情報がプレビュ設定であればプレビュ用のカラープロファイルを、印刷設定であれば印刷用のカラープロファイルを応答するカラープロファイル特定手段と、前記出力情報がプレビュ設定であれば、前記グラフィックエンジンによって描画された画像データを画面に表示するプレビュ手段と、前記出力情報が印刷設定であれば、前記グラフィックエンジンによって描画された画像データをプリンタに出力するプリンタドライバ手段としてコンピュータを機能させることを特徴とする。
また、本発明のプログラムは、カラープロファイルの問い合わせに対して、プレビュ用のプロファイルは応答せず、印刷用のプロファイルは応答する応答ステップと、前記応答ステップによりプレビュ用のプロファイルが応答されない場合、検索されたプレビュの解像度のカラープロファイルを用いてカラーマッチングされたデータに基づきプレビュさせるプレビュステップと、前記応答ステップにより印刷用のプロファイルが応答された場合、印刷用のカラープロファイルを用いてカラーマッチングされたデータに基づくプリンタコマンドをプリンタに出力する出力ステップとをコンピュータに実行させることを特徴とする。